(57)【要約】【課題】筆記具を保持させることが可能なノートを提供する。【解決手段】ノートは、表表紙と、裏表紙と、前記表表紙及び裏表紙の一辺部を連結する連結具と、前記裏表紙の他辺部から前記表表紙よりも外側に延出した延出部分と、該延出部分に配置され、筆記具の一部を挿入する挿入部と、前記延出部分に配置され、前記筆記具の他部を係止する係止部とを備える。好ましくは、前記挿入部及び係止部と、前記延出部分とは連なり、前記挿入部及び係止部は、前記延出部分に重畳するように折り曲げられて形成されている。【選択図】図１
2020172032.tif 000002
【特許請求の範囲】
【請求項１】
表表紙と、
裏表紙と、
筆記具と、
前記裏表紙の一辺部から前記表表紙よりも外側に延出した延出部分と、
該延出部分に配置され、前記筆記具の一部を挿入する挿入部と、
前記延出部分に配置され、前記筆記具の他部を係止する係止部と
を備えるノート。
【請求項２】
前記挿入部及び係止部と、前記延出部分とは連なり、
前記挿入部及び係止部は、前記延出部分に重畳するように折り曲げられて形成されている
請求項１に記載のノート。
【請求項３】
前記挿入部及び延出部分は筒状をなし、
前記係止部は、
前記延出部分に対して直角に突出した基部と、
該基部の突出端部から前記挿入部の反対側に突出した凸部と
を備え、
前記凸部の前記延出部分との対向箇所に窪みが形成されており、
前記筆記具は前記係止部を挿入する凹部を備える
請求項１又は２に記載のノート。
【発明の詳細な説明】
【技術分野】
【０００１】
本技術は、用紙を綴じるノートに関する。
【背景技術】
【０００２】
表表紙と裏表紙との間に用紙を配置させて、表表紙、裏表紙及び用紙を連結具によって連結したノートが従来提案されている（例えば特許文献１参照）。
【先行技術文献】
【特許文献】
【０００３】
【特許文献１】特開２０１５−１７４４１４号公報
【発明の概要】
【発明が解決しようとする課題】
【０００４】
ペンをノートに保持させる場合、一般に、ペンのキャップに設けられたクリップによって、表表紙又は裏表紙を狭持する。しかし、僅かな外力の作用によって、クリップが表表紙又は裏表紙から外れるおそれがある。
【０００５】
本開示は斯かる事情に鑑みてなされたものであり、筆記具を保持させることが可能なノートを提供することを目的とする。
【課題を解決するための手段】
【０００６】
本開示に係るノートは、表表紙と、裏表紙と、筆記具と、前記裏表紙の一辺部から前記表表紙よりも外側に延出した延出部分と、該延出部分に配置され、前記筆記具の一部を挿入する挿入部と、前記延出部分に配置され、前記筆記具の他部を係止する係止部とを備える。
【０００７】
本開示においては、延出部分に挿入部及び係止部を設けることによって、筆記具を二箇所にて保持する。
【０００８】
本開示に係るノートは、前記挿入部及び係止部と、前記延出部分とは連なり、前記挿入部及び係止部は、前記延出部分に重畳するように折り曲げられて形成されている。
【０００９】
本開示においては、折り曲げによって、挿入部及び係止部と、延出部分とを重畳させることによって、挿入部及び係止部付近の構成の強度を向上させることができる。
【００１０】
本開示に係るノートは、前記挿入部及び延出部分は筒状をなし、前記係止部は、前記延出部分に対して直角に突出した基部と、該基部の突出端部から前記挿入部の反対側に突出した凸部とを備え、前記凸部の前記延出部分との対向箇所に窪みが形成されており、前記筆記具は前記係止部を挿入する凹部を備える。
【００１１】
本開示においては、挿入部及び延出部分を筒状に形成することによって、筆記具を挿入部に容易に挿入させることができる。また筆記具に凹部を形成し、係止部を凹部に挿入させることによって、筆記具を容易に係止させることができる。また係止部に凸部を設けることによって、筆記具の凹部に、係止部をより一層係止させやすくなる。また凸部に窪みを形成することによって、凸部と凹部との摩擦を減らし、凸部を凹部に挿入し易くなる。
【発明の効果】
【００１２】
本開示に係るノートにあっては、延出部分に挿入部及び係止部を設けることによって、筆記具を二箇所にて保持し、筆記具が外れることを抑制することができる。更には筆記具を保持させたまま用紙を繰ることができる。
【図面の簡単な説明】
【００１３】
【図１】筆記具を保持していないノートの略示斜視図である。
【図２】裏表紙の略示平面図である。
【図３】裏表紙の略示右側面図である。
【図４】裏表紙の略示背面図である。
【図５】折り曲げ前の裏表紙の略示展開図である。
【図６】筆記具を保持するノートの略示斜視図である。
【図７】筆記具の略示斜視図である。
【図８】筆記具の略示平面図である。
【図９】筆記具の略示底面図である。
【図１０】図８に示すＸ―Ｘ線を切断線とした略示断面図である。
【図１１】筆記具及び保持体の略示断面図である。
【図１２】構成を一部変更した裏表紙の略示右側面図である。
【発明を実施するための形態】
【００１４】
以下本発明を実施の形態に係るノート１を示す図面に基づいて説明する。以下の説明では、図中に示す上下前後左右を使用する。図１は、筆記具を保持していないノート１の略示斜視図である。ノート１は、裏表紙２と、表表紙３とを備える。裏表紙２及び表表紙３はそれぞれ平面視矩形状をなし、前後方向に延びる。表表紙３及び裏表紙２の間に用紙５が挟まれている。用紙５は平面視矩形状をなし、前後方向に延びる。表表紙３、裏表紙２及び用紙５の後縁部それぞれに、左右に並んだ複数の貫通孔が形成されている。
【００１５】
表表紙３、裏表紙２及び用紙５は連結具４によって連結されている。連結具４は左右に並んだ複数のリングを備える。リングは左右方向を軸方向とする。各リングは表表紙３、裏表紙２及び用紙５それぞれの各貫通孔に挿入される。ユーザは、リングをガイドとして、表表紙３、裏表紙２及び用紙５を回転させて、繰ることができる。
【００１６】
なお連結具４はリングを備えないものでもよい。例えば、表表紙３及び裏表紙２の後縁部を一体に連結し、用紙５の後縁部に、左右に並んだ二つの貫通孔を形成し、裏表紙２の上面後縁部に前記二つの貫通孔に挿入される帯状の二つの保持部を設け、二つの保持部を前記二つの貫通孔に挿入させて、用紙５を保持し、更に保持部を押さえる押さえを設けて、用紙５を綴じてもよい。また連結具４に代えて、表表紙３、裏表紙２及び用紙５の後端部に粘着部を設けて、表表紙３、裏表紙２及び用紙５を連結してもよい。
【００１７】
図２は、裏表紙２の略示平面図、図３は、裏表紙２の略示右側面図、図４は、裏表紙２の略示背面図である。裏表紙２の上面右縁部に、筆記具２０を保持する保持体１０が設けられている。保持体１０は裏表紙２の前端から貫通孔２ａの手前（貫通孔２ａよりも若干前側の位置）に亘って形成されている。
【００１８】
保持体１０は、第一板部１１、第二板部１２、第三板部１３、係止部１４、挿入部１５及び第四板部１６を備える。第一板部１１は平面視矩形状をなし、前後方向に延びる。第一板部１１の後側に、第二板部１２、係止部１４及び第三板部１３は配置されている。第二板部１２は平面視矩形状をなし、前後方向に延びる。第三板部１３は平面視矩形状をなし、左右方向に延びる。第二板部１２は第三板部１３よりも右側に配置され、第二板部１２と第三板部１３との間に係止部１４が配置されている。第二板部１２、係止部１４及び第三板部１３の左右幅の合計は、第一板部１１の左右幅に略等しい。第二板部１２、係止部１４及び第三板部１３それぞれの前後幅は略等しい。
【００１９】
係止部１４は裏表紙２に対して略直角な基部１４ａを備える。基部１４ａは上側に突出している。係止部１４は、基部１４ａの突出端部から後方に向けて突出した凸部１４ｂを更に備える。即ち、図３に示すように、係止部１４は側面視逆Ｌ形をなす。図１及び図３に示すように、凸部１４ｂの下部（凸部１４ｂの延出部分２ｂとの対向箇所）には、上側に向けて突出するような窪み１４ｃが形成されている。
【００２０】
第一板部１１の前側に、挿入部１５及び第四板部１６は配置されている。挿入部１５は第四板部１６よりも右側に配置されている。挿入部１５は、右側面部１５ａ、左側面部１５ｃ及び上面部１５ｂを有し、前後方向に延びる。図４に示す如く、挿入部１５は、下側が開口した背面視逆Ｕ形状をなし、三方を囲まれた前後方向に延びるアーチ天井形状又は筒型ヴォールト天井形状をなす。挿入部１５及び後述する延出部分２ｂは、延出部分２ｂを下面部として、四方を囲まれた筒状をなす。第四板部１６は左側面部１５ｃに連なり、前後方向に延びた矩形状をなす。挿入部１５及び第四板部１６それぞれの前後幅は略等しい。挿入部１５及び第四板部１６の左右幅の合計は、第一板部１１の左右幅に略等しい。
【００２１】
第一板部１１、第二板部１２、係止部１４、第三板部１３、挿入部１５及び第四板部１６は裏表紙２に連なる。第一板部１１、第二板部１２、係止部１４、第三板部１３、挿入部１５及び第四板部１６は折り曲げによって、裏表紙２の上側に配置される。
【００２２】
図５は、折り曲げ前の裏表紙２の略示展開図である。図５に示すように、裏表紙２に延出部分２ｂが設けられている。延出部分２ｂは前後に長い矩形状をなす。延出部分２ｂは裏表紙２の右縁部から右側に延出し、前後方向において、裏表紙２の前縁から貫通孔２ａの手前（貫通孔２ａよりも若干前側の位置）に亘って形成されている。延出部分２ｂの右縁は折り線３１を形成し、該折り線３１の前後方向中央部から右側に第一板部１１が延びる。
【００２３】
第一板部１１の後側に第二板部１２、第三板部１３、第一基部１４１、第二基部１４２、第一凸部１４３及び第二凸部１４４が配置されている。第二板部１２は折り線３１から右側に突出している。第二基部１４２は、第二板部１２の右縁前部から右側に突出している。第二板部１２と第二基部１４２との境界は折り線３２を構成する。第二凸部１４４は第二基部１４２の右後部から後側に突出している。第一基部１４１は第二基部１４２の右縁部から右側に突出している。第一凸部１４３は第一基部１４１の左後部から後側に突出している。第一基部１４１と第二基部１４２との境界は折り線３３を構成する。第一基部１４１及び第一凸部１４３と、第二基部１４２及び第二凸部１４４とは折り線３３を境界にした鏡像関係にある。第三板部１３は第一基部１４１の右縁から右側に突出している。第一基部１４１と第三板部１３との境界は折り線３４を構成する。第二板部１２、第三板部１３、第一基部１４１、第二基部１４２、第一凸部１４３及び第二凸部１４４と、第一板部１１とは連なっていない。即ち、第二板部１２、第三板部１３、第一基部１４１、第二基部１４２、第一凸部１４３及び第二凸部１４４と、第一板部１１との間には切り込み又は隙間がある。
【００２４】
第一板部１１の前側に右側面部１５ａ、上面部１５ｂ、左側面部１５ｃ及び第四板部１６が配置されている。右側面部１５ａは折り線３１から右側に突出している。右側面部１５ａの後縁は、後側に向かうに従って裏表紙２に近づくように傾斜する。上面部１５ｂは右側面部１５ａの右縁から右側に突出している。前後方向において、上面部１５ｂの後縁の位置は右側面部１５ａの後縁よりも前側に配されている。上面部１５ｂと右側面部１５ａとの境界は折り線３５を構成する。左側面部１５ｃは上面部１５ｂの右縁から右側に突出している。前後方向において、左側面部１５ｃの後縁と上面部１５ｂとは同じ位置に配される。即ち、左側面部１５ｃの後縁は右側面部１５ａの後縁よりも前側に配置され、左側面部１５ｃの後縁と上面部１５ｂの後縁とは同一直線上に配置される。左側面部１５ｃと上面部１５ｂとの境界は折り線３６を構成する。第四板部１６は左側面部１５ｃの右縁から右側に突出している。第四板部１６と左側面部１５ｃとの境界は折り線３７を構成する。右側面部１５ａ、上面部１５ｂ、左側面部１５ｃ及び第四板部１６と、第一板部１１とは連なっていない。即ち、右側面部１５ａ、上面部１５ｂ、左側面部１５ｃ及び第四板部１６と、第一板部１１との間には切り込み又は隙間がある。
【００２５】
図２に示すように、第一板部１１は折り線３１を境界にして左側に折り返され、延出部分２ｂ及び裏表紙２の上面に配置され、固定される。第二板部１２は折り線３１を境界にして左側に折り返され、延出部分２ｂに固定される。第一基部１４１及び第二基部１４２は、第一基部１４１及び第二基部１４２の境界に位置する折り線３３を山折りにし、二つの折り線３２、３４を谷折りにして、上側に突出する。第一基部１４１及び第一凸部１４３と、第二基部１４２及び第二凸部１４４とは左右に重なり、係止部１４を構成する。係止部１４は延出部分２ｂの上側に配置される。第一基部１４１及び第二基部１４２は基部１４ａを構成し、第一凸部１４３及び第二凸部１４４は凸部１４ｂを構成する。第三板部１３は、第二板部１２と共に折り線３１を境界にして左側に折り返され、延出部分２ｂ及び裏表紙２の上面に配置され、固定される。
【００２６】
右側面部１５ａは折り線３１を境界にして左側に折り返され、延出部分２ｂから上側に突出する。二つの折り線３５、３６を山折りにすることによって、上面部１５ｂは延出部分２ｂに対向するように配置され、左側面部１５ｃは右側面部１５ａに対向するように配置される。左側面部１５ｃの後縁は右側面部１５ａの後縁よりも前側に配置されているので、右側面部１５ａの後端部は左側面部１５ｃに対向しない。即ち、挿入部１５の後端部左側は開口している。折り線３７を谷折りにして、第四板部１６は裏表紙２の上面に配置され、固定される。即ち、挿入部１５及び係止部１４は、延出部分２ｂに重畳するように折り曲げられている。このように、折り返し構造にすることによって、保持体１０の上下方向の厚みは裏表紙２よりも大きくなり、強度が向上する。また折り曲げによって、係止部１４及び挿入部１５は補強リブとしても機能し、強度が更に向上する。
【００２７】
図６は、筆記具２０を保持するノート１の略示斜視図、図７は、筆記具２０の略示斜視図、図８は、筆記具２０の略示平面図、図９は、筆記具２０の略示底面図、図１０は、図８に示すＸ―Ｘ線を切断線とした略示断面図である。筆記具２０は、柱状の本体２１と、該本体２１の一端部から突出したペン先２２とを備える。以下本体２１の一端部を前端部と称し、本体２１の他端部を後端部とも称する。図９及び図１０に示すように、本体２１の後端部の底面に、上側に向けて突出するように窪んだ凹部２１ａが形成されている。凹部２１ａの後端下部には、前方に突出した掛止板２１ｂが形成されている。
【００２８】
図１１は、筆記具２０及び保持体１０の略示断面図である。図６及び図１１に示すように、筆記具２０を保持体１０に保持させる場合、筆記具２０の前端部は挿入部１５に挿入される。図１１に示すように、筆記具２０の凹部２１ａには係止部１４が挿入される。係止部１４の凸部１４ｂは、掛止板２１ｂと凹部２１ａの内側上面との間に配置され、凸部１４ｂは凹部２１ａ内に掛止される。凸部１４ｂに窪み１４ｃが形成されているので、係止部１４を凹部２１ａに挿入する場合、窪み１４ｃは掛止板２１ｂに接触せず、窪み１４ｃを形成しないときに比べて、凸部１４ｂと掛止板２１ｂとの摩擦抵抗を減少させて、円滑に筆記具２０を挿入させることができる。
【００２９】
図１２は、構成を一部変更した裏表紙の略示右側面図である。図１２に示すように、窪み１４ｃは、前方に向かうに従って凸部１４ｂの上下幅が短くなるように、傾斜状に構成されていてもよい。
【００３０】
実施の形態に係るノート１にあっては、延出部分２ｂに挿入部１５及び係止部１４を設けることによって、筆記具２０を二箇所にて保持し、筆記具２０が裏表紙２から外れることを抑制することができる。更には筆記具２０を保持させたまま用紙５を繰ることができる。
【００３１】
また折り曲げによって、挿入部１５及び係止部１４と、延出部分２ｂとを重畳させることによって、挿入部１５及び係止部１４付近の構成の強度を向上させることができる。
【００３２】
また挿入部１５及び延出部分２ｂを筒状に形成することによって、筆記具２０を挿入部１５に容易に挿入させることができる。また筆記具２０に凹部２１ａを形成し、係止部１４を凹部２１ａに挿入させることによって、筆記具２０を容易に係止させることができる。また係止部１４に凸部１４ｂを設けることによって、筆記具２０の凹部２１ａに係止部１４をより一層係止させやすくなる。また凸部１４ｂに窪み１４ｃを形成することによって、凸部１４ｂと凹部２１ａとの摩擦を減らし、凸部１４ｂを凹部２１ａに挿入し易くなる。
【００３３】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００３４】
１  ノート
２  裏表紙
２ｂ  延出部分
３  表表紙
４  連結具
１４  係止部
１４ａ  基部
１４ｂ  凸部
１４ｃ  窪み
１５  挿入部
【図１】
2020172032.tif 000003
【図２】
2020172032.tif 000004
【図３】
2020172032.tif 000005
【図４】
2020172032.tif 000006
【図５】
2020172032.tif 000007
【図６】
2020172032.tif 000008
【図７】
2020172032.tif 000009
【図８】
2020172032.tif 000010
【図９】
2020172032.tif 000011
【図１０】
2020172032.tif 000012
【図１１】
2020172032.tif 000013
【図１２】
2020172032.tif 000014